(57)【要約】      （修正有）【課題】ヘルメットを安定的に保持できる方向を増加させることで、容易な手作業によるヘルメットのカスタマイズのバリエーションを増加させて、ヘルメットの機能性・審美性を十分に向上させることができるヘルメットピローを提供する。【解決手段】ヘルメットが載置される中空環状に形成されているヘルメットピローであって、ヘルメットが接触する上部５の表面に、滑り止め部３ａが形成され、ヘルメットピローが設置される設置面が接触する底部の表面に、滑り止め部がさらに形成されている。上部の表面に形成された滑り止め部及び底部の表面に形成された滑り止め部は、大きさ及び形状が同じである。【選択図】図４
0003226889.tif 000002
【実用新案登録請求の範囲】
【請求項１】
ヘルメットが載置されるヘルメットピローであって、
ヘルメットが接触する上部の表面に、滑り止め部が形成されていることを特徴とするヘルメットピロー。
【請求項２】
前記ヘルメットピローが設置される設置面が接触する底部の表面に、滑り止め部がさらに形成されていることを特徴とする請求項１に記載のヘルメットピロー。
【請求項３】
前記上部の表面に形成された滑り止め部及び前記底部の表面に形成された滑り止め部は、大きさ及び形状が同じであることを特徴とする請求項２に記載のヘルメットピロー。
【請求項４】
中空環状に形成されていることを特徴とする請求項１〜３のいずれかに記載のヘルメットピロー。
【請求項５】
五角形の環状に形成されていることを特徴とする請求項４に記載のヘルメットピロー。
【請求項６】
前記滑り止め部は、複数のシリコンドットにより構成されていることを特徴とする請求項１〜５のいずれかに記載のヘルメットピロー。
【考案の詳細な説明】
【技術分野】
【０００１】
本考案は、ヘルメットピローに関する。
【背景技術】
【０００２】
ヘルメットの保持・保管には、上面にヘルメットを載置するヘルメットスタンド（ヘルメットピロー）が従来利用されている。
【０００３】
例えば特許文献１には、ヘルメットを傷つけることなく安定して保持するべく、ヘルメットを保持する保持部材と、この保持部材を覆う外被部材の筒上部及び上面カバーとの間における伸縮性及び柔軟性を調整したヘルメットピローが記載されている。
【先行技術文献】
【特許文献】
【０００４】
【特許文献１】実用新案登録第３１５７３２４号公報
【考案の概要】
【考案が解決しようとする課題】
【０００５】
近年、ヘルメットの機能性・審美性を向上させるべく、種々の手作業による加工を施すことによるヘルメットのカスタマイズが行われている。手作業による加工をヘルメットに施す際には、部位や内容に応じた適切な姿勢にヘルメットを保持する必要がある。特にヘルメットの外表面は滑らかに構成されているため、加工を施す際にヘルメットに加わる力によって、ヘルメットが回転しないように安定的にヘルメットを保持することが要求される。
【０００６】
しかしながら特許文献１のヘルメットピローでは、ヘルメットを安定的に保持できる方向が限定されているため、部位や内容に応じた適切な姿勢にヘルメットを安定的に保持することができない場合がある。この場合、手作業による加工が不可能になるか、可能であっても手作業による加工は困難となる。そのため特許文献１に記載の従来のヘルメットピローでは、容易な手作業によるヘルメットのカスタマイズのバリエーションを増加させることに制約があり、ヘルメットの機能性・審美性を十分に向上させることができていない。
【０００７】
本考案は、このような課題を解決すべくなされたものであり、ヘルメットを安定的に保持できる方向を増加させることで、容易な手作業によるヘルメットのカスタマイズのバリエーションを増加させて、ヘルメットの機能性・審美性を十分に向上させることができるヘルメットピローを提供することを目的とする。
【課題を解決するための手段】
【０００８】
上記課題を解決するための本考案のヘルメットピローは、ヘルメットが載置されるヘルメットピローであって、ヘルメットが接触する上部の表面に、滑り止め部が形成されていることを特徴とする。
【０００９】
本考案のヘルメットピローにおいては、ヘルメットピローが設置される設置面が接触する底部の表面に、滑り止め部がさらに形成されていることが好ましい。
【００１０】
本考案のヘルメットピローにおいては、上部の表面に形成された滑り止め部及び底部の表面に形成された滑り止め部は、大きさ及び形状が同じであることが好ましい。
【００１１】
本考案のヘルメットピローにおいては、中空環状に形成されていることが好ましい。
【００１２】
本考案のヘルメットピローにおいては、五角形の環状に形成されていることが好ましい。
【００１３】
本考案のヘルメットピローにおいては、滑り止め部は、複数のシリコンドットにより構成されているが好ましい。
【考案の効果】
【００１４】
本考案によれば、ヘルメットを安定的に保持できる方向を増加させることで、容易な手作業によるヘルメットのカスタマイズのバリエーションを増加させて、ヘルメットの機能性・審美性を十分に向上させることができるヘルメットピローを提供することができる。
【図面の簡単な説明】
【００１５】
【図１】一実施形態に係るヘルメットピローの平面図
【図２】一実施形態に係るヘルメットピローの正面図
【図３】図１のＩＩＩ−ＩＩＩ線断面における概略図
【図４】滑り止め部の詳細な構成を示す部分拡大図
【図５】縫製前のカバー部材の構成を示す図
【図６】他の実施形態に係るヘルメットピローの斜視図
【考案を実施するための形態】
【００１６】
以下、本考案の実施形態について、図面を参照して詳細に例示説明する。なお、本明細書においては、共通する構成には、共通する用語を用いると共に、各図において略同一に図示して詳細な説明は省略し、必要に応じて同一の符号で示すこととする。
【００１７】
図１は、本実施形態に係るヘルメットピローの平面図であり、図２は同正面図であり、図３は図１のＩＩＩ−ＩＩＩ線断面における概略図であり、図４は滑り止め部の詳細な構成を示す部分拡大図である。本実施形態のヘルメットピロー１は、本体部２と、滑り止め部３とを備えている。なお、図１及び図２においては、図示を簡略化するために、滑り止め部３を省略している。また図３においては、滑り止め部３の厚みを誇張して示している。本体部２は、袋状のカバー部材２１と、このカバー部材２１の内部に充填される図示しない緩衝部材とを有している。
【００１８】
カバー部材２１は、ナイロン、ポリエステル等の可撓性シート状材料から構成することができる。本実施形態のカバー部材２１は、ポリエステル製のシート材料から構成されている。
【００１９】
緩衝部材は、ポリエチレン等から構成することができる。本実施形態では、緩衝部材としてビーズを用いている。
【００２０】
図１及び図２に示すように、本実施形態のヘルメットピロー１は、中空環状の正五角形に形成されている。具体的には本実施形態のヘルメットピロー１は、中空環状の正五角形の各辺を構成する第１〜第５の部分１１〜１５を有しており、第１〜第５の部分１１〜１５は実質的に同じ形状を有している。そのため、本実施形態では、ヘルメットピロー１の中央部に形成された中空部４もまた、正五角形形状を有している。なお、本考案において正五角形とは、ヘルメットピロー１がカバー部材を有する場合には、第１〜第５の部分１１〜１５に使用されるカバー部材２１の外形形状が同じであることをいう。図１及び図２において破線で示される糸により、カバー部材２１は、互いに縫製されている。
【００２１】
本実施形態では、第１〜第５の部分１１〜１５はそれぞれ、図１に示す平面示において、中空環状の正五角形の外側の辺を構成する部分の寸法が１９５ｍｍであり、中空環状の正五角形の内側の辺を構成する部分の寸法が８３ｍｍである。即ち、本実施形態のヘルメットピロー１は、図１に示す平面示において、一辺が１９５ｍｍの正五角形の中心に、一辺が８３ｍｍの中空部４が形成された形状を有している。また第１〜第５の部分１１〜１５はそれぞれ、図２に示す正面視において、７５ｍｍの厚さを有している。
【００２２】
図３及び図４に示すように、本実施形態のヘルメットピロー１には、ヘルメットが接触する上部５の表面５ａに、上部側滑り止め部３ａが形成されている。具体的には本実施形態では、第１〜第５の部分１１〜１５における上部５の表面５ａのそれぞれに、上部側滑り止め部３ａが形成されている。本実施形態では、第１〜第５の部分１１〜１５における上部側滑り止め部３ａは、互いに同じ構成を有している。
【００２３】
図４に示すように、本実施形態の上部側滑り止め部３ａは、複数のシリコンドットにより構成されている。詳細には、本実施形態では、４８個のシリコンドットを、上部５の表面５ａに印刷することにより、上部側滑り止め部３ａを構成している。
【００２４】
上部側滑り止め部３ａのシリコンドットは、中空環状の正五角形の外側の辺及び内側の辺と平行に、中空環状の正五角形の内側から順番に、８列のそれぞれが３個、４個、５個、６個、７個、８個、７個、８個となるように、格子状に印刷されている。なお第１〜第５の部分１１〜１５における滑り止め部３ａはそれぞれ、隣接する第１〜第５の部分１１〜１５との境界には形成されていない。
【００２５】
本実施形態では、図３に示すように、ヘルメットピロー１が設置される設置面が接触する底部６の表面６ａに、底部側滑り止め部３ｂが形成されている。具体的には本実施形態では、第１〜第５の部分１１〜１５における底部６の表面６ａのそれぞれに、底部側滑り止め部３ｂが形成されている。本実施形態では、第１〜第５の部分１１〜１５における底部側滑り止め部３ｂは、互いに同じ構成を有している。本実施形態の底部側滑り止め部３ｂは、上部側滑り止め部３ａと同様に形成されている。
【００２６】
本実施形態では、図３に示すヘルメットピロー１の断面において、上部側滑り止め部３ａは、底部側滑り止め部３ｂよりも、中空部４側に形成されている。
【００２７】
次に本実施形態のヘルメットピロー１の製造の一例について説明する。図５に示すように、シリコンドットの印刷により上部側滑り止め部３ａ及び底部側滑り止め部３ｂを形成した八角形形状の縫製前のカバー部材２１を５枚準備する。八角形形状の縫製前のカバー部材２１の、対向する一対の辺２１ａ及び２１ｂを縫合してカバー部材２１を筒状にする。次に、第１の部分１１と第５の部分１５との間を除いて、筒状のカバー部材の他の辺と、他のカバー部材の他の辺との縫合を行い、５枚のカバー部材を連続する筒状に構成する。次いで、連続する５枚のカバー部材の内部に、ビーズを充填し、第１の部分１１と第５の部分１５との間を縫合する。
【００２８】
本実施形態のヘルメットピロー１では、ヘルメットが接触する上部５の表面５ａに、上部側滑り止め部３ａが形成されている。そのため、手作業による加工を施す際にヘルメットに力が加わっても、ヘルメットがヘルメットピロー１に対して回転・変位することが抑制することができる。よって上記実施形態のヘルメットピロー１では、ヘルメットを安定的に保持できる方向を増加させることで、容易な手作業によるヘルメットのカスタマイズのバリエーションを増加させて、ヘルメットの機能性・審美性を十分に向上させることが可能である。このような本考案に係るヘルメットピローは、例えば図６に示す他の実施形態とすることもできる。
【００２９】
本実施形態のヘルメットピロー１では、ヘルメットピロー１が設置される設置面が接触する底部６の表面６ａに、底部側滑り止め部３ｂがさらに形成されている。そのため、ヘルメットピロー１が設置面に対して回転・変位することが抑制されて、手作業による加工をより容易に行うことが可能となる。
【００３０】
本実施形態のヘルメットピロー１では、上部側滑り止め部３ａ及び底部側滑り止め部３ｂは、大きさ及び形状が同じであるので、上部側滑り止め部３ａ及び底部側滑り止め部３ｂの構成を簡単に行うことができる。
【００３１】
上記実施形態においては、ヘルメットピローは、正五角形の中空環状に形成されている場合について説明したが、本項案のヘルメットピローは、円環状や他の多角形の環状あるいは、環状ではない形成等、任意の形状を有することができる。
【００３２】
上記実施形態においては、緩衝部材としてビーズを使用しているが、緩衝部材には、カバー部材の内部に充填されて、カバー部材を所望の形状とすることができれば、他の材料を使用することができる。
【００３３】
上記実施形態においては、滑り止め部を複数のシリコンドットにより構成しているが、ヘルメットがヘルメットピローに対して滑ること及び／またはヘルメットピローが設置面に対して滑ることを防止することができれば、他の材料から滑り止め部を構成してもよい。
【００３４】
上記実施形態においては、底部側滑り止め部３ｂは、上部側滑り止め部３ａと同様の構成としているが、異なる構成としてもよい。また、底部側滑り止め部を設けなくともよい。
【００３５】
上記実施形態においては、上部側滑り止め部３ａ及び底部側滑り止め部３ｂを別部材として構成しているが、一体的に構成されていてもよい。
【００３６】
本発明は、以上説明した実施形態に限定されるものではなく、多くの変形が本発明の技術的思想内で当分野において、通常の知識を有する者により可能である。
【産業上の利用可能性】
【００３７】
本考案によれば、ヘルメットを安定的に保持できる方向を増加させることで、容易な手作業によるヘルメットのカスタマイズのバリエーションを増加させて、ヘルメットの機能性・審美性を十分に向上させることができるヘルメットピローを提供することができる。
【符号の説明】
【００３８】
１：ヘルメットピロー
２：本体部
２１：カバー部材
３：滑り止め部
３ａ：上部側滑り止め部    ３ｂ：底部側滑り止め部
４：中空部
５：上部
５ａ：表面
６：底部
６ａ：表面
１１：第１の部分
１２：第２の部分
１３：第３の部分
１４：第４の部分
１５：第５の部分
【図１】
0003226889.tif 000003
【図２】
0003226889.tif 000004
【図３】
0003226889.tif 000005
【図４】
0003226889.tif 000006
【図５】
0003226889.tif 000007
【図６】
0003226889.tif 000008